(57)【特許請求の範囲】
【請求項１】
マルチ・トランシーバー移動端末装置のアンテナ・スイッチング回路であって：
第１トランシーバー・ポートを第１アンテナ・ポート又は第２アンテナ・ポートに制御可能に結合させる第１スイッチング・ユニットと；
前記第２アンテナ・ポートを、前記第１スイッチング・ユニットを通して前記第１トランシーバー・ポートに、又は第２トランシーバーの入出力ポートに、制御可能に結合させる第２スイッチング・ユニットとを含んでおり；
前記第２アンテナ・ポートは、前記第２トランシーバーが動作しているモードでは前記第２トランシーバーの前記入出力ポートに結合され、この時には前記第１トランシーバー・ポートは前記第２アンテナ・ポートから切り離され；
前記第１トランシーバーが送信モードであるときには、前記第１トランシーバー・ポートは前記第１アンテナ・ポートに結合され、前記第２トランシーバーの前記入出力ポートは前記第２アンテナ・ポートから切り離され；
前記第１トランシーバーが受信モードで前記第２トランシーバーの前記入出力ポートが前記第２アンテナ・ポートから切り離されているときには、前記第１トランシーバー・ポートは前記第１及び第２のアンテナ・ポートのいずれかに結合されることを特徴とするアンテナ・スイッチング回路。
【請求項２】
前記第２トランシーバーが動作するモードでは、前記第２アンテナ・ポートは前記第２トランシーバーの前記入出力ポートに結合され、前記第１トランシーバーは前記第２アンテナ・ポートから切り離されて前記第１アンテナ・ポートに単なる受信装置として結合されることを特徴とする請求項１に記載のアンテナ・スイッチング回路。
【請求項３】
前記第１トランシーバーはＷＬＡＮ無線通信装置であり、前記第２トランシーバーは前記ＷＬＡＮ無線通信装置と実質的に同じＩＳＭ無線帯域で動作する比較的に低電力で短距離範囲の無線通信装置であることを特徴とする請求項１に記載のアンテナ・スイッチング回路。
【請求項４】
前記第１トランシーバーはＤＳＳＳ無線通信を含むＩＥＥＥ８０２．１１規格に従う実質的に２．４ＧＨｚのＩＳＭ帯域で動作するＷＬＡＮ無線通信装置であり、前記第２トランシーバーは前記ＷＬＡＮ無線通信装置と実質的に同じＩＳＭ無線帯域で動作する比較的に低電力で短距離範囲のスペクトル拡散無線通信装置であることを特徴とする請求項１に記載のアンテナ・スイッチング回路。
【請求項５】
前記第１及び第２のスイッチング・ユニットは、それぞれ、単極双投スイッチを含むことを特徴とする請求項１に記載のアンテナ・スイッチング回路。
【請求項６】
前記移動端末装置は、前記第１及び第２のアンテナ・ポートにそれぞれ付随する１対のダイバーシティー・アンテナを含む移動電話であることを特徴とする請求項１に記載のアンテナ・スイッチング回路。
【請求項７】
前記移動端末装置は２アンテナ、２トランシーバー手持ち式移動端末装置であり、その両方のトランシーバーが実質的に同じＩＳＭ無線帯域で動作するけれども異なる電力／距離範囲要件を有することを特徴とする請求項１に記載のアンテナ・スイッチング回路。
【請求項８】
前記移動端末装置は、前記第１及び第２のアンテナ・ポートにそれぞれ付随する１対のダイバーシティー・アンテナを包含し、前記ダイバーシティー・アンテナ同士は、グランド平面に取り付けられて前記アンテナ同士を絶縁させてＲＦシールドをする金属構造で分離されていることを特徴とする請求項１に記載のアンテナ・スイッチング回路。
【請求項９】
前記ダイバーシティー・アンテナの各々は、逆Ｆ型平坦アンテナ（ＰＩＦＡ）であることを特徴とする請求項１に記載のアンテナ・スイッチング回路。
【請求項１０】
マルチ・トランシーバー移動端末装置のダイバーシティー・アンテナのためのスイッチング回路であって：
第１動作モードにおいて第１トランシーバーの出力ポートを第１アンテナ・ポートに結合させる第１スイッチング・ユニットと；
前記第１トランシーバーの入力ポートを（ｉ）第２動作モードにおいて前記第１アンテナ・ポートに結合させ、（ｉｉ）第３動作モードにおいて前記第１アンテナ・ポート又は第２アンテナ・ポートに結合させる第２スイッチング・ユニットと；
前記第２動作モードにおいて前記第２アンテナ・ポートを第２トランシーバーの入出力ポートに結合させる第３スイッチング・ユニットとを含んでおり、前記第１トランシーバーの前記出力ポートは前記第２動作モードにおいては前記第１アンテナ・ポートから切り離されることを特徴とするスイッチング回路。
【請求項１１】
前記第１トランシーバーの前記入力ポートと前記第１アンテナ・ポートとの結合は前記第２スイッチング・ユニット及び前記第１スイッチング・ユニットを通して実現され、前記第１トランシーバーの前記入力ポートと前記第２アンテナ・ポートとの結合は前記第２スイッチング・ユニット及び前記第３スイッチング・ユニットを通して実現されることを特徴とする請求項１０に記載のスイッチング回路。
【請求項１２】
前記第１，第２及び第３スイッチング・ユニットは、それぞれ、単極ダブル端子スイッチを含むことを特徴とする請求項１０に記載のスイッチング回路。
【請求項１３】
前記第１トランシーバーはＷＬＡＮ無線通信装置であり、前記第２トランシーバーは前記ＷＬＡＮ無線通信装置と実質的に同じＩＳＭ無線帯域で動作する比較的に低電力で短距離範囲の無線通信装置であることを特徴とする請求項１０に記載のスイッチング回路。
【請求項１４】
前記第１トランシーバーはＤＳＳＳ無線通信を含むＩＥＥＥ８０２．１１規格に従う実質的に２．４ＧＨｚのＩＳＭ帯域で動作するＷＬＡＮ無線通信装置であり、前記第２トランシーバーは前記ＷＬＡＮ無線通信装置と実質的に同じＩＳＭ無線帯域で動作する比較的に低電力で短距離範囲のスペクトル拡散無線通信装置であることを特徴とする請求項１０に記載のスイッチング回路。
【請求項１５】
前記ダイバーシティー・アンテナ同士は、グランド平面に取り付けられて前記アンテナ同士を絶縁させてＲＦシールドをする金属構造で分離されていることを特徴とする請求項１０に記載のスイッチング回路。
【請求項１６】
前記ダイバーシティー・アンテナの各々は、逆Ｆ型平坦アンテナ（ＰＩＦＡ）であることを特徴とする請求項１０に記載のスイッチング回路。
【請求項１７】
前記移動端末装置は２アンテナ、２トランシーバー手持ち式移動端末装置であり、その両方のトランシーバーが実質的に同じ無線帯域で動作するけれども異なる電力／距離範囲要件を有することを特徴とする請求項１０に記載のスイッチング回路。
【請求項１８】
前記移動端末装置は、前記第１及び第２のアンテナ・ポートにそれぞれ付随する１対のダイバーシティー・アンテナを包含する移動電話であることを特徴とする請求項１０に記載のスイッチング回路。
【請求項１９】
ダイバーシティー・アンテナを有するマルチ・トランシーバー移動端末装置におけるアンテナ共有方法であって：
前記移動端末装置にスイッチング回路を設けるステップを含んでおり、そのスイッチング回路は：
（ａ）第１トランシーバー・ポートを第１アンテナ・ポート又は第２アンテナ・ポートに制御可能に結合させる第１スイッチング・ユニットと；
（ｂ）前記第２アンテナ・ポートを、前記第１スイッチング・ユニットを通して前記第１トランシーバー・ポートに結合させ、又は第２トランシーバーの入出力ポートに結合させる第２スイッチング・ユニットとを含んでおり；
前記第２アンテナ・ポートは前記第２トランシーバーが動作するモードにおいては前記第２トランシーバーの前記入出力ポートに結合され、この時には前記第１トランシーバー・ポートは前記第２アンテナ・ポートから切り離され；
前記第１トランシーバーが送信モードであるときには、前記第１トランシーバー・ポートは前記第１アンテナ・ポートに結合され、前記第２トランシーバーの前記入出力ポートは前記第２アンテナ・ポートから切り離され；
前記第１トランシーバーが受信モードで前記第２トランシーバーの前記入出力ポートが前記第２アンテナ・ポートから切り離されているときには、前記第１トランシーバー・ポートは前記第１及び第２のアンテナ・ポートのいずれかに結合されることを特徴とする方法。
【請求項２０】
前記第２トランシーバーが動作するモードでは、前記第２アンテナ・ポートは前記第２トランシーバーの前記入出力ポートに結合され、前記第１トランシーバーは前記第２アンテナ・ポートから切り離されて前記第１アンテナ・ポートに単なる受信装置として結合されることを特徴とする請求項１９に記載のアンテナ共有方法。
【請求項２１】
前記第１トランシーバーはＷＬＡＮ無線通信装置であり、前記第２トランシーバーは前記ＷＬＡＮ無線通信装置と実質的に同じＩＳＭ無線帯域で動作する比較的に低電力で短距離範囲の無線通信装置であることを特徴とする請求項１９に記載のアンテナ共有方法。
【請求項２２】
前記第１トランシーバーはＤＳＳＳ無線通信を含むＩＥＥＥ８０２．１１規格に従う実質的に２．４ＧＨｚのＩＳＭ帯域で動作するＷＬＡＮ無線通信装置であり、前記第２トランシーバーは前記ＷＬＡＮ無線通信装置と実質的に同じＩＳＭ無線帯域で動作する比較的に低電力で短距離範囲のスペクトル拡散無線通信装置であることを特徴とする請求項１９に記載のアンテナ共有方法。
【請求項２３】
前記第１及び第２のスイッチング・ユニットは、それぞれ、単極双投スイッチを包含することを特徴とする請求項１９に記載のアンテナ共有方法。
【請求項２４】
前記移動端末装置は、前記第１及び第２のアンテナ・ポートにそれぞれ付随する１対のダイバーシティー・アンテナを包含する移動電話であることを特徴とする請求項１９に記載のアンテナ共有方法。
【請求項２５】
該移動端末装置は２アンテナ、２トランシーバー手持ち式移動端末装置であり、その両方のトランシーバーが実質的に同じ無線帯域で動作するけれども異なる電力／距離範囲要件を有することを特徴とする請求項１９に記載のアンテナ共有方法。
【請求項２６】
前記移動端末装置は、前記第１及び第２のアンテナ・ポートにそれぞれ付随する１対のダイバーシティー・アンテナを包含し、前記ダイバーシティー・アンテナ同士は、グランド平面に取り付けられて前記アンテナ同士を絶縁させてＲＦシールドをする金属構造で分離されていることを特徴とする請求項１９に記載のアンテナ共有方法。
【請求項２７】
前記ダイバーシティー・アンテナの各々は、逆Ｆ型平坦アンテナ（ＰＩＦＡ）であることを特徴とする請求項１９に記載のアンテナ共有方法。
【請求項２８】
ダイバーシティー・アンテナを有するマルチ・トランシーバー移動端末装置におけるアンテナ共有方法であって：
前記移動端末装置にスイッチング回路を設けるステップを含んでおり、そのスイッチング回路は：
（ａ）第１動作モードにおいて第１トランシーバーの出力ポートを第１アンテナ・ポートに結合させる第１スイッチング・ユニットと；
（ｂ）前記第１トランシーバーの入力ポートを、（ｉ）前記第２動作モードにおいては前記第１アンテナ・ポートに結合させ、（ｉｉ）第３動作モードにおいては前記第１アンテナ・ポート又は第２アンテナ・ポートに結合させる第２スイッチング・ユニットと；
（ｃ）前記第２動作モードにおいて前記第２アンテナ・ポートを第２トランシーバーの入出力ポートに結合させる第３スイッチング・ユニットとを含んでおり、前記第１トランシーバーの前記出力ポートは前記第２動作モードにおいては前記アンテナ・ポートから切り離されることを特徴とするアンテナ共有方法。
【請求項２９】
前記第１トランシーバーの前記入力ポートと前記第１アンテナ・ポートとの結合は前記の第２及び第１のスイッチング・ユニットを通して実現され、前記第１トランシーバーの前記入力ポートと前記第２アンテナ・ポートとの結合は前記第２及び第３のスイッチング・ユニットを通して実現されることを特徴とする請求項２８に記載のアンテナ共有方法。
【請求項３０】
前記第１，第２及び第３のスイッチング・ユニットは、それぞれ、単極デュアル端子スイッチを含むことを特徴とする請求項２８に記載のアンテナ共有方法。
【請求項３１】
前記第１トランシーバーはＷＬＡＮ無線通信装置であり、前記第２トランシーバーは前記ＷＬＡＮ無線通信装置と実質的に同じＩＳＭ無線帯域で動作する比較的に低電力で短距離範囲の無線通信装置であることを特徴とする請求項２８に記載のアンテナ共有方法。
【請求項３２】
前記第１トランシーバーはＤＳＳＳ無線通信を含むＩＥＥＥ８０２．１１規格に従う実質的に２．４ＧＨｚのＩＳＭ帯域で動作するＷＬＡＮ無線通信装置であり、前記第２トランシーバーは前記ＷＬＡＮ無線通信装置と実質的に同じＩＳＭ無線帯域で動作する比較的に低電力で短距離範囲のスペクトル拡散無線通信装置であることを特徴とする請求項２８に記載のアンテナ共有方法。
【請求項３３】
前記移動端末装置は２アンテナ、２トランシーバー手持ち式端末装置であることを特徴とする請求項２８に記載のアンテナ共有方法。
【請求項３４】
前記移動端末装置は２アンテナ、２トランシーバー移動電話であることを特徴とする請求項２８に記載のアンテナ共有方法。
【請求項３５】
前記ダイバーシティー・アンテナ同士は、グランド平面に取り付けられて前記アンテナ同士を絶縁させてＲＦシールドをする金属板で分離されていることを特徴とする請求項２８に記載のアンテナ共有方法。
【請求項３６】
前記ダイバーシティー・アンテナの各々は、逆Ｆ型平坦アンテナ（ＰＩＦＡ）であることを特徴とする請求項２８に記載のアンテナ共有方法。
【請求項３７】
ダイバーシティー・アンテナとスイッチング回路とを有するマルチ・トランシーバー移動端末装置であって、前記スイッチング回路は：
第１トランシーバー・ポートを第１アンテナ・ポート又は第２アンテナ・ポートに制御可能に結合させる第１スイッチング・ユニットと；
前記第２アンテナ・ポートを、前記第１スイッチング・ユニットを通して前記第１トランシーバー・ポートに、又は第２トランシーバーの入出力ポートに、制御可能に結合させる第２スイッチング・ユニットとを含んでおり；
前記第２アンテナ・ポートは、前記第２トランシーバーが動作しているモードでは前記第２トランシーバーの前記入出力ポートに結合され、この時には前記第１トランシーバー・ポートは前記第２アンテナ・ポートから切り離され；
前記第１トランシーバーが送信モードであるときには、前記第１トランシーバー・ポートは前記第１アンテナ・ポートに結合され、前記第２トランシーバーの前記入出力ポートは前記第２アンテナ・ポートから切り離され；
前記第１トランシーバーが受信モードで前記第２トランシーバーの入出力ポートが前記第２アンテナ・ポートから切り離されているときには、前記第１トランシーバー・ポートは前記第１及び第２のアンテナ・ポートのいずれかに結合されることを特徴とするマルチ・トランシーバー移動端末装置。
【請求項３８】
前記第２トランシーバーが動作するモードでは、前記第２アンテナ・ポートは前記第２トランシーバーの前記入出力ポートに結合され、前記第１トランシーバーは前記第２アンテナ・ポートから切り離されて前記第１アンテナ・ポートに単なる受信装置として結合されることを特徴とする請求項３７に記載のマルチ・トランシーバー移動端末装置。
【請求項３９】
ダイバーシティー・アンテナとスイッチング回路とを有するマルチ・トランシーバー移動端末装置であって、前記スイッチング回路は：
第１動作モードにおいて第１トランシーバーの出力ポートを第１アンテナ・ポートに結合させる第１スイッチング・ユニットと；
前記第１トランシーバーの入力ポートを（ｉ）第２動作モードにおいて前記第１アンテナ・ポートに結合させ、（ｉｉ）第３動作モードにおいて前記第１アンテナ・ポート又は第２アンテナ・ポートに結合させる第２スイッチング・ユニットと；
前記第２動作モードにおいて前記第２アンテナ・ポートを第２トランシーバーの入出力ポートに結合させる第３スイッチング・ユニットとを含んでおり、前記第１トランシーバーの前記出力ポートは前記第２動作モードにおいては前記第１アンテナ・ポートから切り離されることを特徴とするマルチ・トランシーバー移動端末装置。
【請求項４０】
前記第１トランシーバーの前記入力ポートと前記第１アンテナ・ポートとの結合は前記第２及び第１のスイッチング・ユニットを通して実現され、前記第１トランシーバーの前記入力ポートと前記第２アンテナ・ポートとの結合は前記第２及び第３のスイッチング・ユニットを通して実現されることを特徴とする請求項３９に記載のマルチ・トランシーバー移動端末装置。
【請求項４１】
少なくとも２つのトランシーバーと；
少なくとも２つのアンテナ・ポートと、前記アンテナ・ポート及び前記トランシーバー間の接続を制御する少なくとも２つのスイッチング・ユニットとを含む移動端末装置であって；
前記スイッチング・ユニットは、同じアンテナ・ポートが異なる時に第１トランシーバー及び第２トランシーバーに結合されることとなるように制御されることを特徴とする移動端末装置。
【請求項４２】
前記第１及び第２のトランシーバーは、実質的に同じ周波数帯域で動作する２つの別々の通信システムのためのものであることを特徴とする請求項４１に記載の移動端末装置。
【発明の詳細な説明】
【０００１】
【発明の属する技術分野】
本発明は、移動電話等の電気通信／移動端末装置の分野に係り、特に、ＩＰ（インターネット・プロトコル）ベースのＷＬＡＮ（Wireless Local Area Network、無線ローカルエリアネットワーク）／ＢＴ（Bluetooth、ブルートゥース）手持ち式端末装置等の２無線通信装置手持ち式端末装置におけるダイバーシティー・アンテナのためのアンテナ共有機構に関する。
【０００２】
【従来の技術】
近時、ＤＳＳＳ（Direct Sequence Spread Spectrum、ダイレクト・シーケンス・スペクトル拡散）無線通信向けのもの等のＩＥＥＥ８０２．１１規格に準拠する無線ＬＡＮ（ＷＬＡＮ）通信に採用されるのと同じ２．４ＧＨｚのＩＳＭ（Industrial, Scientific and Medical、産業、科学及び医療）帯域を使用する関連し合う手持ち式移動端末装置に移動電話の使用を拡張することのできる新しい技術が発達してきている。前記規格の内容を参照により本書に取り入れる。この新しい技術はブルートゥース（Bluetooth、ＢＴと略記）と称されており、これは低電力無線技術であって、ほぼ１０ｃｍから１０ｍの距離範囲を有するけれども、送信電力レベルを単に増大させることによって、もっと大きな距離向けに拡張され得るものである。この新技術の周波数帯域は２．４ＧＨｚのＩＳＭ帯域を要求するけれども、これは、事実上世界中で利用できる免許不要のスペクトル帯域であって、ＤＳＳＳ無線通信のためのＩＥＥＥ８０２．１１規格に準拠する無線ＬＡＮ（ＷＬＡＮ）無線ＩＳＭ帯域と一致する。この低電力／短距離範囲ＩＳＭ帯域を移動電話技術に用いれば、（１例としての）ｅ−メールを送るためにラップトップ型コンピュータとセルラー（又はセル）電話装置との間にケーブル配線は最早不要となる。更に、職業人は、自分の移動電話が自分の上着のポケットに入っているときに自分のラップトップでインターネットをサーフィンすることができるようになる。即ち、移動端末装置の１例としての移動電話は、共有されている同じ媒体へのアクセスを求めて競争するときに同じＭＡＣ（Medium Access Control、媒体アクセス制御）プロトコルを実行する数台のステーションから通常は成っている基本サービス・セット（ＢＳＳと略記）リンクに最早限定されなくても良い。基本サービス・セットは、隔離されていても良いし、アクセス・ポイントを通して主力分配システムに接続されても良く、そのアクセス・ポイントはブリッジとして機能する。ＭＡＣプロトコルは、完全に分配され、或いは該アクセス・ポイントに収容されている中央整合機能によって制御される。基本サービス・セットは、概して、文献でセルと称されているものに相当する。拡張サービス・セット（ＥＳＳと略記）は、分配システムによって相互に結ばれている２つ以上の基本サービス・セットから成る。その様な分配システムは、通常、有線主力ＬＡＮである。拡張サービス・セットは、論理リンク制御（ＬＬＣと略記）レベルに単一の論理ＬＡＮとして現れる。図面の図７は、ＩＥＥＥ８０２．１１規格に準拠する無線ＬＡＮモデルを代表する。
【０００３】
ＷＬＡＮ多元放送では、単一のアクセス・トランシーバーが、通常、百〜数百フィート未満の距離範囲内に配列されたユーザーの小グループを支援することができる。一方、ブルートゥース技術は、ユーザーが無線短距離範囲無線リンクによって、顕著に少ない電力で、モバイル・コンピュータ、ディジタル・セルラー電話、手持ち式装置、ネットワーク・アクセスポイント、及びその他の移動可能な装置を、敷地回線の制約無しに結合させることを可能にする。ブルートゥース（ＢＴ）技術は、普通の人による無線通信を容易にし、無線接続の範囲を広げる。また、ＢＴは、通常は１０メートル未満、例えば２−３メートル、の短距離範囲に限られるので、ＷＬＡＮよりはかなり低い電力レベルを使用する。即ち、移動電話については、例えば３０−５０メートルの距離範囲を有する２．４ＧＨｚのＩＳＭ帯域で動作するＷＬＡＮ・ＤＳＳＳ無線通信装置は、通常は約１００ｍＷの電力レベルを必要とするのに対して、ＢＴ・ＩＳＭ・ＦＨＳＳ（周波数ホッピング・スペクトル拡散）無線通信装置又は、単に、ＢＴ・ＩＳＭスペクトル拡散無線通信装置は約１ｍＷの電力レベルを必要とする。この技術は、短距離範囲のアドホックなネットワークを介して携帯式電子装置が無線で接続して通信することを可能にする。
【０００４】
世界中で機能するために、ブルートゥースは、免許不要で且つ如何なる無線装置に対しても公開されている無線周波数を必要とする。２．４ＧＨｚのＩＳＭ帯域はこれらの要件を満たしており、２．４ＧＨｚ帯域は実際には２．４−２．４８３ＧＨｚ無線帯域である。ブルートゥース無線通信が移動電話に応用されるとき、ユーザーはクリップで移動電話を自分のベルトに留めたりポケットに入れておいたりして、ダイヤル呼び出し接続をしている間中、歩き回ることができる。また、ブルートゥース装置は、敷地回線要件が無いので、移動電話とノートブック型コンピュータとの接続などの無線接続に良く適している。例えば、ブルートゥースで、人は自分の電話をポケットやブリーフケースから取り出さなくても、その電話をＰＣと同期させることができる。ユーザーは、自分のポケットの中のディジタル・セルラー電話によってｅ−メールを自分のノートブック型或いはラップトップ型のコンピュータで自動的に受け取ったり、或いは自分の手持ち式コンピュータをブリーフケースから取り出さなくても自分の主ＰＣをその手持ち式コンピュータと同期させることができるようになる。ブルートゥースの全方向能力は、電話がＰＣの距離範囲に入ったときに同期が始まることを可能にする。それは１Ｍｂｉｔ／Ｓの総データ転送速度を考慮に入れており、第２世代の計画は２Ｍｂｉｔ／Ｓの速度まで増大させるはずである。それは、周波数ホッピング方式（ＩＥＥＥ８０２．１１規格に類似する）に基づくパケット交換プロトコルを使用する。また、全方向性であるために、機密保護上の理由から、そのベースバンド・プロトコルの一部分として認証及び暗号化も含まれている。即ち、認証は、秘密キー（即ち、パスワード又はＰＩＮ）を利用し、セキュリティを確保する。
【０００５】
この低電力ＩＳＭ無線帯域の特性と、手持ち式移動（セルラー）電話等の移動端末装置との該帯域の関連性とを考慮して、本発明者は、２．４ＧＨｚのＩＳＭ帯域ＷＬＡＮ・ＤＳＳＳ無線通信及び低電力／短距離範囲２．４ＧＨｚのＩＳＭ・ＢＴ無線通信の両方をどの様に発達させて実用的で費用効果のある二重モード移動端末装置、即ちＩＰベースの二重モードＷＬＡＮ／ＢＴ手持ち式端末装置、をもたらすか検討した。ＷＬＡＮ・ＩＥＥＥ８０２．１１ＤＳＳＳ無線通信装置及びＢＴ二重モード端末装置のフィルター、アンテナ及びＲＦスイッチ・コンポーネントは、発明者らが決定した幾つかの方法で共有され得る。最も単純な形では、その様なコンポーネントは共有されない、即ち、両方の無線通信装置が別々の独立したユニットとして実現される。しかし、これは、コスト及び実用性の両方に関して、明らかに最高の解決策ではない。一方、ＢＴ無線通信装置のような低電力、短距離範囲２．４ＧＨｚのＩＳＭ無線帯域装置と、８０２．１１ＤＳＳＳ無線通信装置のような相当高い電力レベルのＷＬＡＮ装置とを組み合わせて小型の手持ち式端末装置とすることには幾つかの欠点、即ち、アンテナ、フィルター及びその他のコンポーネントの共有の結果としての混信、がある。実際、二重モード端末装置において２つの２．４ＧＨｚ無線通信装置がダイバーシティー・アンテナ機構、フィルター及びアンテナ・スイッチを共有するということは、知られている限りでは、以前は実行されていなかった。従って、以前は、その様な問題がその様な形で存在してはいなかった。２帯域移動電話にも幾分似ている問題があるけれども、２帯域移動電話の２つの無線通信装置は異なる周波数帯域を使用するので、異なるアプローチが使用される。
【０００６】
本発明は、特に、ＩＰベースの二重モードＷＬＡＮ／ＢＴ手持ち式端末装置と関連して達成されるような二重モード端末装置において２つの２．４ＧＨｚ無線通信装置間でのアンテナ共有の問題に対処する。本発明者達は、その様な二重モード端末装置においてアンテナを共有させる試みが前になされたことを承知していない。一方、本発明者達は、ダイバーシティー・アンテナを共有させる試みが前に幾つかなされたことを承知しているけれど、それらは標準的ＷＬＡＮ動作に関してなされたに過ぎない。前になされた公知のその様な計画の１つが１９９４年１１月９日付のEP 0 623 967 A1にLucent Technologiesにより開示されており、それは、２つのＬ型ＰＩＦＡアンテナから成る無線ＬＡＮのための２アンテナ・ダイバーシティー・システムを記述している。この開示では、受信モードでは２つのアンテナ部材の切り換えを行い、送信モードでの該装置の動作のためにはその２つのアンテナ部材の一方だけを切り換えるために単極複式端末スイッチ（a single pole dual terminal switch (SPDT)）が使用される。しかし、この、前の開示は、例えば２つの２．４ＧＨｚ無線帯域等の共通無線帯域（一方は上記ＩＥＥＥ８０２．１１規格（その内容を参照により本書に取り入れる）に準拠するＷＬＡＮ無線であり、他方は割合に低電力／低距離範囲無線であり、例えばＢＴ・ＩＳＭ・ＦＨＳＳ無線である）を必要とする二重モード方式でダイバーシティー・アンテナのアンテナ共有の問題に対処していない。
【０００７】
ＷＬＡＮ無線通信装置の僅かに異なるアンテナ・スイッチ及びフィルター装置が、アンテナについての詳しい解説無しに、１９９８年９月２３日付のEP 0 866 588 A2においてハリス・コーポレーションにより開示された。この公開された出願も、本発明が扱っているような二重モード手持ち式端末装置におけるダイバーシティー・アンテナのアンテナ共有機構に関しては何も開示していない。しかし、ハリスの開示は、ＤＳＳＳ無線通信についてのＩＥＥＥ８０２．１１規格に従う２．４ＧＨｚ・ＩＳＭ帯域でのＷＬＡＮアプリケーションに直ぐに用いることのできる１つの無線トランシーバーの例を与えている。ＷＬＡＮ・ＰＣカード（以前はＰＣＭＣＩＡカードとして知られていた）における例えばＰＩＦＡなどの２つのダイバーシティー・アンテナの使用は、多重伝搬問題の故に、非常に普及しているけれども、低周波数で動作する従来の手持ち式端末装置はダイバーシティー・アンテナを使用しない。
【０００８】
【発明が解決しようとする課題】
本発明の目的は、効率よく且つなるべく経済的にダイバーシティー・アンテナを共有するためのアンテナ・スイッチング機構を実現することである。
【０００９】
両方のトランシーバーが実質的に同じＩＳＭ無線帯域で動作するけれども異なる電力／距離範囲要件を有する例えば移動電話或いはセルラー電話（これらに限定はされない）を含む手持ち式移動端末装置等のマルチ・トランシーバー移動端末装置における１対のダイバーシティー・アンテナを共有するための実質的に無混信のスイッチング回路をもたらすことも本発明の目的である。
【００１０】
本発明の他の目的は、一方のトランシーバーがＷＬＡＮ無線通信装置で他方が実質的に同じＩＳＭ無線帯域で動作するマルチ・トランシーバー移動端末装置における実質的に無混信のアンテナ共有機構を達成することである。
【００１１】
本発明の他の目的は、ＤＳＳＳ無線通信のためのＩＥＥＥ規格に従う実質的に２．４ＧＨｚのＩＳＭ帯域で動作するＷＬＡＮ無線通信装置と、このＷＬＡＮ無線通信装置のそれと実質的に同じＩＳＭ無線帯域で動作する割合に低い電力、短距離範囲のスペクトル拡散無線通信装置とを有する二重モード移動端末装置のためのダイバーシティー・アンテナを有する手持ち式移動端末装置に関連する実質的に無混信のアンテナ共有機構を達成することである。この関係で、この第２の低電力、短距離範囲無線通信装置は、ブルートゥース（ＢＴ）無線通信に従うものであって良い。
【００１２】
本発明の他の目的は、経済的で且つ実用的でると共に、第２トランシーバーのためのアンテナを追加せずに実現することのできる二重モード移動端末装置機構におけるダイバーシティー・アンテナのアンテナ共有のためのアンテナ・スイッチング機構を実現することである。
【００１３】
本発明の他の目的は、１例として（それに限定はされない）ＩＥＥＥ８０２．１１規格に従う２．４ＧＨｚのＤＳＳＳ・ＷＬＡＮ等のＩＳＭ無線帯域で動作することのできる移動（セルラー）電話等、ＰＤＡ（パーソナルディジタルアシスタント）、及びその他の無線通信リンクなどの標準的移動端末装置で実現することのできる二重モード手持ち式移動端末装置又は手持ち式端末装置自体との関連でアンテナ共有機構を達成することである。
【００１４】
アンテナ共有、アンテナ・スイッチングに向けられ、１例としての（それに限定はされない）ＷＬＡＮ／ＢＴ二重モード手持ち式端末装置に付随するフィルター・チェーンに関連する固有の問題を克服することも本発明の目的である。ダイバーシティー動作の二重アンテナ受信モードと関連して高性能を提供するアンテナ共有機構を達成することも目的である。
【００１５】
ＲＦスイッチの数をなるべく少なくし、同時に、移動端末装置においていずれのトランシーバー（無線通信装置）が動作している際の性能をも最高に活用する目的でスイッチ・ロスをなるべく少なくすることも本発明の目的である。
【００１６】
【課題を解決するための手段】
本発明の関連実施態様で説明されている実例に従ってマルチ・トランシーバー移動端末装置のためのアンテナ・スイッチング回路及びそのためのアンテナ共有方法をもたらすことにより、前述の、及びその他の問題が克服され、本発明の目的が実現される。
【００１７】
この関係で、本発明は、１つのトランシーバーがＤＳＳＳ無線通信についてのＩＥＥＥ８０２．１１規格に従うＷＬＡＮであり、他方のトランシーバーがブルートゥース無線に従うＷＬＡＮ等（これに限定はされない）のＷＬＡＮと同じＩＳＭ無線帯域で動作する割合に低電力／短距離範囲の無線通信装置であるようなマルチ・トランシーバー移動端末装置におけるダイバーシティー・アンテナのためのスイッチング機構をもたらす。この機構では、２つのトランシーバーは同時に動作する必要はない。アンテナ接続の終了と、スクラッチからの新しいアンテナ接続の確立とには、もちろん、時間がかかるし、電力を必要とする。従って、本発明の１つの特徴は、第１トランシーバー（例えば、ＷＬＡＮ無線通信装置）が、例えばそれに向けられているＡＰ（アクセスポイント）が利用可能になる時を監視することを含めて、受信装置としてのみ動作し、その間第２トランシーバーが必要な接続を提供している、即ち動作していることを許す。本発明は、移動端末装置のＷＬＡＮネットワークの標準的ダイバーシティー・アンテナだけを用いて達成可能である。
【００１８】
本発明の他の面では、例えばＷＬＡＮ及びＢＴ無線通信装置などの第１及び第２のトランシーバーの両方が、例えば手持ち式端末装置がパワーアップされるとき、或いは接続が必要かも知れないけれども、いずれの無線通信装置も接続されていない場合などに、ＲＦ信号を同時に受信することができる。移動電話の融通性は、移動コンピュータ、ディジタル電話、ネットワーク・アクセスポイントの、短距離範囲機構への統合（即ち接続）をもたらす。
【００１９】
例えばＷＬＡＮとブルートゥースとに共有されるダイバーシティー・アンテナである第２アンテナからスイッチングするときのロスの結果として生じる些細な欠点はあるけれども、低電力・短距離範囲のブルートゥース無線通信装置を用いる結果として生じる利益は、明らかに、その様な欠点を上回る。この関係で、本発明は、ブルートゥース無線通信装置が動作する必要があるときに２つのＷＬＡＮダイバーシティー・アンテナの一方がブルートゥース無線通信装置用にスイッチングされる機構を特徴とする。一般に、第２トランシーバー（例えばブルートゥース無線通信装置）は、移動端末装置が物理的にＷＬＡＮ無線通信装置の通達範囲の外にあるときに、それに割り当てられているアンテナ・ポートに接続される。一方のトランシーバーがＷＬＡＮで他方がＢＴ無線通信装置である移動端末装置においては、好ましい通信リンケージの選択肢は通常はＷＬＡＮ無線通信装置であるので、第２のトランシーバー（例えばブルートゥース無線通信装置）が使用されている間、ＷＬＡＮ通達範囲を監視することができる。この時、第１のトランシーバーはその受信装置ポートで、アクセスポイント（ＡＰ）を監視している第１アンテナに結合されており、該アクセスポイントは、ブルートゥース無線通信装置によって使用されていない方のダイバーシティー・アンテナを通じて利用可能となる。
【００２０】
また、本発明では、ＢＴモジュールが必要とする電力レベルは通常は１ミリワット以下であるので、第１トランシーバー（例えばＷＬＡＮ無線通信装置）は、ＢＴモジュールから送信される信号によって破壊的に妨害されることなく、その周波数帯域を受信或いは監視することが可能となる。しかし、ＢＴ無線通信装置が動作している間は、ＷＬＡＮ送信装置の使用は、ＢＴ無線通信装置にダメージを与えるおそれがあるので、禁止される。
【００２１】
２つのアンテナが同時に動作している間のダイバーシティー絶縁の問題に関しては、この絶縁を、該アンテナ間にシールドとして結合される金属構造体で改善することができる。即ち、本発明の１つの特徴に従って、移動端末装置は１対のダイバーシティー・アンテナを包含し、そのアンテナ同士は、例えばグランド平面に取り付けられ良好な絶縁を与えてＲＦシールドをする金属板から成る金属構造体で分離される。開示されている本発明の１実施態様では（それには限定されないけれども）、各々のアンテナが逆Ｆ型平坦アンテナ（a planar inverted F antenna、ＰＩＦＡと略記）である。このＰＩＦＡは、矩形（正方形及び長方形の両方を含む）或いはＬ形状であっても良い（それに限定はされない）。この関係で、本発明は、二重モード移動端末装置実現のための、ＤＳＳＳ無線通信のためのＩＥＥＥ８０２．１１規格に従う２．４ＧＨｚ・ＷＬＡＮ無線通信装置、及び２．４ＧＨｚのＢＴスペクトル拡散無線通信装置などの２つの似ているＩＳＭ帯域無線通信装置の送信モード及び受信モードでトランシーバーに付随するアンテナ及びフィルター・チェーンを最善に共有することを可能にしようとするものである。使用されるＲＦスイッチは、単一のＲＦチップと関連して実現され得るか或いは別々の半導体チップに付随する周知の種類の例えば単極双投（ＳＰＤＴ）スイッチとして説明される。この関係で、EP 0 623 967 A1とEP 0 866 588 A2とは共にＳＰＤＴを開示しているけれども、それらのＳＰＤＴはＷＬＡＮ無線通信装置の受信モードと送信モードとの切り換えのために使用されている（単一トランシーバー）。本発明に使用することのできるＳＰＤＴスイッチの例はＮＥＣのμＰＧ／５２ＴＡ・ＬバンドＳＰＤＴ（Single Pole Double Throw）ＧａＡｓ・ＦＥＴスイッチであり、これはセルラー電話或いはコードレス電話アプリケーション向けに開発されたスイッチであって、１９９８年１月付けのＮＥＣ刊行文書No. P12398EJ2V1DS00（第２版）に開示されており、その内容を参照により本書に取り入れる。
【００２２】
本発明についての以降の詳細な説明を添付図面に示され且つ説明される関連の実例と関連させて読めば、本発明の上記の及びその他の特徴がいっそう明らかとなる。
【００２３】
【発明の実施の形態】
図１は、本発明の第１実施態様に従う本発明の原理を示しており、ここで１０は、二重アンテナ、二重トランシーバー装置を有する移動（セルラー）電話等の移動端末装置を表しており、それは例えばＩＰベースのＷＬＡＮ／ブルートゥース手持ち式端末装置である。基本構想は、ＢＴが機能している必要があるときに、２つのＷＬＡＮダイバーシティー・アンテナＡＮＴ１及びＡＮＴ２の一方をＢＴ（ブルートゥース）用に切り換えることである。一般に、ＢＴ接続は、該手持ち式端末装置がＷＬＡＮの利用可能な通達範囲の外に位置するときに実施される。ＷＬＡＮ無線通信は好ましい方法であるので、ＢＴ無線通信装置（ＢＴモジュール）１２が使用されている間、ＡＰ（アクセスポイント）のＷＬＡＮ通達範囲を常に監視していて良い。ＢＴ無線通信装置（ＢＴモジュール）１２が受信（ＲＸ）又は送信（ＴＸ）モードで動作しているとき、ＢＴトランシーバーを永久的ダメージから守るために、同時動作はＷＬＡＮ無線通信装置（ＷＬＡＮモジュール）１１の受信（ＲＸ）モードに限られる。
【００２４】
具体的には、マルチ・トランシーバー移動端末装置１０のアンテナ・スイッチング回路１３は、第１トランシーバー・ポートＰ1を第１アンテナ・ポートＰA1又は第２アンテナ・ポートＰA2に制御可能に結合させる第１スイッチング・ユニットＳＷ１を有すると共に、第１アンテナ・ポートＰA2を、第１スイッチング・ユニットＳＷ１を通して第１トランシーバー・ポートＰ1に結合させ、或いは第２トランシーバー１２の入／出力ポートＰI/Oに結合させる第２スイッチング・ユニット即ちＳＰＤＴスイッチＳＷ２を有し、この第２トランシーバー１２は、この例では、実質的に、例えばＤＳＳＳ無線通信装置についてのＩＥＥＥ８０２．１１規格に従う２．４ＧＨｚ・ＩＳＭ帯域ＷＬＡＮ無線通信装置等のＷＬＡＮモジュール１１のそれと同じＩＳＭ無線帯域を有するＢＴ無線通信装置である。この実施態様では、ＳＰＤＴスイッチＳＷ１及びＳＷ２は、第２トランシーバー１２が動作しているモードでは第２アンテナ・ポートＰA2が第２トランシーバー１２の入／出力ポートに結合され、その時には第１トランシーバー・ポートＰA1が第２アンテナ・ポートＰA2から切り離されているように、制御回路１４によって制御される。また、第１トランシーバー・ポートが送信モードであるときには、第１トランシーバー・ポートＰ1は第１アンテナ・ポートＰA1に結合されていて第２トランシーバー１２の入／出力ポートは第１アンテナ・ポートＰA2から切り離されており、更に、第１トランシーバーが受信モードであるときには第１トランシーバー・ポートＰ1は第１及び第２のアンテナ・ポートのいずれかに結合され、第２トランシーバー１２の入／出力ポートＰI/Oは第２アンテナ・ポートＰA2から切り離されている。また、この機構では、第２トランシーバー１２が動作しているときには、第２アンテナ・ポートＰA2は第２トランシーバー１２の入出力ポートに結合され、第１トランシーバー１１は第２アンテナ・ポートＰA2から切り離されて単に受信装置として第１アンテナ・ポートＰA1に結合される。しかし、同時動作は、例えばＷＬＡＮが受信ＲＸでＢＴが受信ＲＸ又は送信ＴＸのみに限定される。第２トランシーバー（例えばＢＴモジュール）は、第１トランシーバー（例えばＷＬＡＮモジュール）が送信しているならば、動作することができない。
【００２５】
この新しい機構は、図１に示されている実例では、新たに追加されるＢＴモジュールのために新たにアンテナを追加せずに、標準サイズの移動端末装置において、既に存在する第１受信装置（例えばＷＬＡＮ無線通信装置）に追加のトランシーバー（ＢＴモジュール１２等）を設ける。多重伝搬を克服するためにＤＳＳＳ無線通信についてのＩＥＥＥ８０２．１１規格のような２．４ＧＨｚ・ＩＳＭ帯域ＷＬＡＮ装置との関係でアンテナ・ダイバーシティー機構が好ましいので、時折ＢＴを使用するために２つの別々のダイバーシティー・アンテナの一方を使うことにすれば、もう一つのアンテナを標準サイズの手持ち式端末装置に追加するコスト及びスペースを節約することができる。
【００２６】
図２は、他の実施態様の図であり、ＩＰベースの二重モードＷＬＡＮ／ＢＴ手持ち式端末装置等（これに限定はされない）のマルチ・トランシーバー移動端末装置のためのアンテナ共有スイッチング装置を示している。本発明のこの実例の図では、２１は、例えば、ＤＳＳＳ無線通信についてのＩＥＥＥ８０２．１１規格に従う２．４ＧＨｚのＩＳＭ帯域ＷＬＡＮモジュール又は装置である第１トランシーバーを表し、２２は、この例ではＢＴモジュール（これに限定はされない）として示されている追加された第２トランシーバーを表している。
【００２７】
図２の実施態様において、ＷＬＡＮ送信モード即ち第１モードでは、第３ＳＰＤＴスイッチＳｗＣは第２アンテナ・ポートＰA2を第２スイッチＳｗＢに接続する位置２に切り換えられる。このモードでは、第１スイッチング・ユニットＳｗＡはその位置３から位置２へ切り換えられてＷＬＡＮモジュールの出力ポートＰＯとの接続を形成する。このＷＬＡＮ送信モードでは、アンテナＡＮＴ１だけがＷＬＡＮ送信アンテナとして使用される。第２スイッチング・ユニットＳｗＢは、第１アンテナＡＮＴ１から第２アンテナＡＮＴ２に結合されるＷＬＡＮ送信信号がＷＬＡＮ受信チェーンに漏れ込むのを防止するために、ＷＬＡＮ受信チェーンを入力ポートＰＩからスイッチＳｗＡの接続されていないポート３に接続する。ＷＬＡＮ送信チェーン中のフィルターＦＬ２は、この動作モードではＷＬＡＮ受信チェーンと共有されなくても良いので、その動作を最高にするために最適に選択することができる。
【００２８】
第２のモード即ちＢＴモードでは、第３スイッチング・ユニットＳｗＣは、ＢＴモジュールを第２アンテナ・ポートＰA2に接続する位置３に切り換えられる。このＢＴモードでは、第２スイッチング・ユニットＳｗＢは位置３に切り替わり、この位置では、ＢＴ送信信号のＷＬＡＮモジュールの受信ポートへのリークをなるべく少なくするために、フィルターＦＬ１を含むＷＬＡＮ受信チェーンは第１スイッチング・ユニットＳｗＡに接続される。このＢＴモードでは、ＳｗＡを、それが第２スイッチング・ユニットＳｗＢを介して第１アンテナ・ポートをＷＬＡＮ受信装置チェーンに接続する位置３へ切り換えるために、ＷＬＡＮ通達範囲を監視することができる。
【００２９】
第３モード即ちＷＬＡＮ受信モードでは、第３スイッチング・ユニットＳｗＣは、第２アンテナ・ポートＰA2がスイッチＳｗＢに結合されることになる位置に切り換えられる。また、第１スイッチング・ユニットＳｗＡは、第１アンテナ・ポートＰA1をスイッチＳｗＢに接続する位置に切り換えられる。第２スイッチング・ユニットＳｗＢアンテナを切り換えることにより、第１及び第２のアンテナ・ポート間でダイバーシティー選択を行うことができる。ＷＬＡＮ受信チェーン中のフィルターＦＬ１は、ＷＬＡＮ送信チェーンと共有されなくても良いので、最高の性能を得るために最適に選択されることができる。
【００３０】
本発明のもう一つの実施態様の、図２の例の動作を、図２の制御回路２３に関連する図３に示されている論理回路によって実行されるアンテナ・スイッチ論理動作との関連で、図４及び図５にそれぞれ示されている信号解説及びスイッチ真理値表との関係で明瞭に理解することができる。この関係で、３つのスイッチング・ユニットの各々に関連するＶＣ１及びＶＣ２の論理値が論理０であるとき、ＳＰＤＴスイッチの３つのポートは全て絶縁される。ＶＣ１及びＶＣ２の論理値がともに１であるときにも同様である。一方、各スイッチのＶＣ１が論理０で各スイッチのＶＣ２が論理１であるときには、第２アンテナ・ポートとＢＴモジュールとが接続され、ＷＬＡＮモジュールの受信ポートと第１アンテナ・ポートとが接続される。ＶＣ１及びＶＣ２の論理レベルが逆にされると、ＷＬＡＮモジュールが送信モードとなる。
【００３１】
例として、図６に示されているアンテナ機構を用いると、４０はグランド平面として作用する金属シールドを表し、４１及び４２は図１及び２の例（これに限定はされない）に使用される 正方形／長方形のＰＩＦＡアンテナであり、４３及び４４はそれぞれのＰＩＦＡアンテナの、それぞれスイッチング・ユニットＳｗＡ及びＳｗＣとの接続端子であり、４５及び４６はアンテナのグランド端子結線を表し、随意に設けられる４７は、グランド平面４０に取り付けられてＰＩＦＡ４１及び４２間のＲＦシールドを行うために改善された絶縁を提供する金属板である。図４に示されているアンテナは正方形の矩形であるけれども、それに限定されると解されるべきではない。図１及び２の実施態様と関連して、また本発明に関連する他の実施例と関連して、他の矩形（例えば、細長い矩形）を含む他の形状のアンテナ、並びにＬ形状の平らなアンテナも、本発明に応用できる。更に、図２に関して、ＢＴモードでは、正方形のＰＩＦＡアンテナＡＮＴ２はＢＴモジュールに接続され、正方形ＰＩＦＡアンテナＡＮＴ１はＷＬＡＮ受信装置に接続されて、ＢＴモジュールが動作している間ＷＬＡＮの特性の監視を可能にする。
【００３２】
一方、ＷＬＡＮ受信モードでは、受信アンテナ・ダイバーシティーを可能にするためにいずれか一方のダイバーシティーＰＩＦＡアンテナをＷＬＡＮ受信装置に接続することができ、更に、ＷＬＡＮ送信モードでは、ＷＬＡＮ無線通信装置の受信装置側のフィルター・チェーンの共有無しにＰＩＦＡアンテナＡＮＴ１がＷＬＡＮ送信装置側に接続される。ＷＬＡＮモジュールの、送信チェーン、並びに受信チェーン中のフィルターは、共有されなくても良いので、最高の性能を得るためにそれらのフィルターを最適に選択することができる。また、ダイバーシティー分離、効率、及びアンテナ利得を最大にするために、２つの正方形ダイバーシティーＰＩＦＡアンテナ（ここでも他の形状及びタイプを使用し得るけれども）並びに金属板の位置を選択する。
【００３３】
図面の図３は制御回路の１例であり（これに限定はされない）、この図から分かるように、割合に少数の論理ゲート、即ち、ＡＮＤゲート３１及び３２，ＯＲゲート３３及びインバーター３４及び３５で、３つのＲＦスイッチング・ユニットの制御が達成される。この関係で、制御回路２３に付随する各信号ラインは、図３に示されているような制御信号ラインの相補対に属することを記しておく。ちなみに、それと同様の論理ゲート装置を図１の制御回路に関して達成することができる。また、それに固有の個々のセッティングによりスイッチを直接制御する代わりに、低電力消費論理を使ってスイッチを制御すれば、確実にスイッチ・セッティングの所望の組み合わせだけが可能とされる。
【００３４】
マルチ・トランシーバー移動端末装置のためのこの新しいスイッチング機構と、そのための方法とは、例えばＷＬＡＮ／ＢＴ二重モード手持ち式端末装置のアンテナの共有、アンテナ・スイッチング及びフィルター・チェーンの共有に付随する問題を解決する。前述した移動端末装置等の移動端末装置に使用されるアンテナの１例を代表する２つの正方形ＰＩＦＡアンテナは、２つの２．４ＧＨｚ・ＩＳＭ無線通信装置間でのアンテナ・システムの効率的共有を可能にするように実現されている。同時に、該アンテナ・システムは、高性能二重アンテナ受信ダイバーシティー動作を提供する。更に、本発明の無線周波数（ＲＦ）スイッチング回路は、いずれの二重無線トランシーバーの性能も最高に活用するためにスイッチング動作ロスを最小限に抑えながら、なるべく少ない数のスイッチで最上のサイズにされる。更に、ＲＦフィルターを互いに無関係に選択／実現できるので、ＷＬＡＮトランシーバーに付随するいずれの機能のためにもフィルター・カスケードの応答を最適化することが可能となる。更に、スイッチが望ましくないスイッチング・モードをもたらす可能性を防止しながら、スイッチを望ましい位置に追い込むための論理動作に関して消費される電力が少ない。
【００３５】
本発明を、その好ましい実施態様の上記実例に関して具体的に図示し、説明したけれども、添付の請求項により定義されている本発明の範囲から逸脱せずに、他の実施態様の形を含めて、その形及び細部に変更をくわえ得ることを当業者は理解するであろう。
【図面の簡単な説明】
【図１】本発明の１実施態様に従うアンテナ共有スイッチング装置の原理を示す図。
【図２】本発明の他の代表的実施態様に従うアンテナ共有スイッチング装置を示す図。
【図３】図２の制御回路に関連する論理回路の例を示す図。
【図４】図３のアンテナ・スイッチ制御論理装置に関連する信号解説の例を示す図。
【図５】図２の実施態様に関連するアンテナ・スイッチ真理値表の例を示す図。
【図６】一例に従って、本発明のアンテナ共有機構に利用することのできる、２つの高能率ＰＩＦＡ型矩形アンテナから成るアンテナ・システムを示す図。
【図７】ＩＥＥＥ８０２．１１委員会により開発されたＷＬＡＮ規格を表わす図。
【符号の説明】
１０    マルチ・トランシーバー移動端末装置
１１    第１トランシーバー
１２    第２トランシーバー
Ｐ1    第１トランシーバー・ポート
ＰA1    第１アンテナ・ポート
ＰA2    第２アンテナ・ポート
ＰI/O    第２トランシーバーの入出力ポート
ＳＷ１    第１スイッチング・ユニット
【図１】
0004387041.tif 000002
【図２】
0004387041.tif 000003
【図３】
0004387041.tif 000004
【図４】
0004387041.tif 000005
【図５】
0004387041.tif 000006
【図６】
0004387041.tif 000007
【図７】
0004387041.tif 000008